(57)【特許請求の範囲】
【請求項１】
海苔等の淡水を嫌う養殖物の設置場所よりも淡水の流れ込む方向に関して上流側の海域に設置する膜式構造体であって、
浮力体及びこの浮力体に垂下される布状の膜体と、
前記膜体に取り付けて緊張力を受けとめるテンションメンバと、
前記膜体を海中に保持させるために投錨させる係留ロープでテンションメンバと係留されたアンカと
を備え、前記膜体を淡水と海水とが上下２層に分離する海中の上層部に設置して前記淡水と海水との混合を図るように構成したことを特徴とする膜式構造体。
【請求項２】
下層部が貧酸素水域となっている海域に設置して貧酸素状態を解消するように構成したことを特徴とする請求項１に記載の膜式構造体。
【発明の詳細な説明】
【０００１】
【発明の属する技術分野】
この発明は、海水と淡水とが混ざり合う河口付近等の海域に設置して海水と淡水との混合を図ることができる膜式構造体に関するものである。
【０００２】
【従来の技術】
例えば、河口域等では、上層が河川から流れ込んだ淡水と、これより下層に淡水よりも比重の大きな海水とが混在するような海域が形成されている。
このような海域で海苔などの養殖を行う場合に、淡水の存在が海苔養殖の妨げになるとして問題となっている。
【０００３】
ところで近年では、海苔の品種改良が進み、短期間で大量に栽培・養殖できる品種のものが開発・普及しているが、特にこのような品種は淡水に非常に弱いので、河川水の流入が大きな問題になっている。
【０００４】
また、特に閉鎖性の強い海域では、夏場等に上層と下層とで密度の異なる２層に分離する現象（温度躍層）が起こっているが、これが形成されると、海水の上下の水の混合作用が行われ難くなり、下層部は貧酸素水域となって有機物は嫌気性分解され、汚染の原因となっている。また、貧酸素水域下では、窒素も貧酸素の状況下で硝化反応が進み難くく、富栄養化の原因になっている。
【０００５】
このような事情から例えば海苔養殖場では、養殖場の周囲に竹を海底に密に差し込んで囲い、これによって淡水の進入を阻むようにしているものが多いが、効果があまり期待できない。
【０００６】
そこで、また、図６に示すように、潜堤１００を海底に構築して湧昇流を発生させ、上層と下層との水の混合を図るように構成したものも知られている。
【０００７】
【発明が解決しようとする課題】
しかしながら、このような構成のものにあっては、設置工事に多くの手間と費用とが嵩み、しかも浅い海域では船舶の航行の障害となっている。
【０００８】
そこで、この発明は、上記した事情に鑑み、簡単で、しかも確実に上下の水の混合を図ることができる膜式構造体を提供することを目的とするものである。
【０００９】
【課題を解決するための手段】
即ち、この請求項１に係る発明は、海苔等の淡水を嫌う養殖物の設置場所よりも淡水の流れ込む方向に関して上流側の海域に設置する膜式構造体であって、浮力体及びこの浮力体に垂下される布状の膜体と、前記膜体に取り付けて緊張力を受けとめるテンションメンバと、前記膜体を海中に保持させるために投錨させる係留ロープでテンションメンバと係留されたアンカとを備え、前記膜体を淡水と海水とが上下２層に分離する海中の上層部に設置して前記淡水と海水との混合を図るように構成したものである。
【００１０】
また、この請求項２に係る発明は、下層部が貧酸素水域となっている海域に設置して貧酸素状態を解消するように構成したものである。
【００１１】
【発明の実施の形態】
以下、この発明の好適な実施例について添付図面を参照しながら説明する。
図１はこの発明の第１実施例にかかる膜式構造体１を示すものであり、この膜式構造体１は、浮力体２と、膜体３と、テンションメンバ４と、係留ロープ５で接続されたアンカ９（図２参照）とから構成されている。なお、この膜式構造体１は、図３に示すように、河川Ｒの流れ込む河口付近の海域Ｓに投錨・設置されており、海苔の養殖場（特にこの海苔養殖に限らず、淡水を嫌う各種養殖物への適用が好ましい）Ｃに淡水が流れ込まぬよう、または、上下層を撹拌混合するになっている。
【００１２】
浮力体２には、例えば発泡材、空気等を詰めた固形または袋状のものを使用している。また、膜体３には柔軟性がある布状のものを使用しており、浮力体２の下側に取り付けてある。また、テンションメンバ（ボトムテンションを構成する）４には、可撓性のあるロープ、布製ベルト、ワイヤロープ、チェーン等を使用しており、膜体３の下側に固設した補強部（図略）にフック等の適宜の接続手段（図略）を介して着脱可能に取り付けてある（これについての詳細は、同一出願人により、平成９年１１月６日に出願されている浮体構造物を参照されたい）。
【００１３】
従って、この実施例によれば、図２に示すように、海中の上層部に膜体３が設置されており、湾内に流れ込む淡水Ｓ１の流圧で膜がタコのように張った膜体３が淡水Ｓ１の上層部での流れを遮断するようになっている。これにより、河川水が流れ込む湾内においてこの膜体３よりも下流側では、淡水Ｓ１が海中の中層部から下層部に向けて斜め下方に流れを強制的に変更させられるから、この淡水Ｓ１の比重が重いために中層部から下層部に亘って最初から存在する海水（塩水）Ｓ２と効率的に混り合っていくことができる。
【００１４】
次に、この発明の第２実施例に係る膜式構造体１′について説明する。
この実施例の膜式構造体１′は、浮力体２と膜体３との間にテンションメンバ（ミドルテンションを構成する）６を設けており、また膜体３の下側には、幅方向全体に亘って錘７が取り付けられている。
なお、この実施例のテンションメンバ６は係留ロープ５を介して図示外のアンカとも接続されており、この係留ロープ５とテンションメンバ６との間も先の実施例と同様にフック等の適宜の接続手段で着脱可能に接続されている。また、この実施例の膜体３と錘７との間も、フック等の適宜の接続手段で着脱可能に接続されている。
【００１５】
次に、この発明の第３実施例に係る膜式構造体１″について説明する。
この実施例の膜式構造体１″は、浮力体２′を取り付けた膜体３′がスティフナー８で両側を固定・支持されてほぼ垂直に起立した状態となっている。また、スティフナー８の上下両端部は接続ロープ５′と接続されており、この接続ロープ５′の基端部はテンションメンバ５と接続されている。
【００１６】
なお、この実施例でも、接続ロープ５′の先端部とスティフナー８との間やテンションメンバ４と係留ロープ（基端部には図示外のアンカが接続されている）５の先端部との間は、フック等の適宜の接続手段で着脱可能に接続させてある。
【００１７】
【発明の効果】
以上説明してきたように、この発明によれば、浮力体及びこの浮力体に垂下される布状の膜体と、膜体に取り付けて緊張力を受けとめるテンションメンバと、膜体を海中に保持させるために投錨させる係留ロープでテンションメンバと係留されたアンカとを備えており、膜体を淡水と海水とが上下２層に分離する海中の上層部に設置して淡水と海水との混合を図るように構成したので、従来のような竹を海中に立てて淡水の進入を阻止したり、海底に潜堤を構築するといったことが必要なく、どこでも所望の場所に投錨して簡単に設置することができるとともに、確実、かつ、効果的に、淡水を海水と混合させることができるようになる。また、季節によって取り外すこともでき、冬期はのり養殖、夏は同じ海域で漁を行うことが可能となる。
【図面の簡単な説明】
【図１】この発明の第１実施例に係る膜式構造体を示す概略斜視図。
【図２】この発明の作用を示す説明図。
【図３】この発明の設置場所を示す説明図。
【図４】この発明の第２実施例を示す概略斜視図。
【図５】この発明の第３実施例を示す概略斜視図。
【図６】従来例を示す説明図。
【符号の説明】
１，１′，１″  膜式構造体
２，２′浮力体
３，３′膜体
４  テンションメンバ
５，６  係留ロープ
７  錘
８  スティフナー
【図１】
0003655453.tif 000002
【図２】
0003655453.tif 000003
【図３】
0003655453.tif 000004
【図４】
0003655453.tif 000005
【図５】
0003655453.tif 000006
【図６】
0003655453.tif 000007